(57)【特許請求の範囲】
【請求項１】
圧縮機、空気冷媒熱交換器及び水冷媒熱交換器を有し、前記圧縮機により冷媒を循環させて前記水冷媒熱交換器により加熱対象水を加熱する冷媒回路と、
少なくとも前記冷媒回路を制御する機器であって、発熱性電気部品を含む複数の電気部品が搭載された電装品搭載体と、
前記水冷媒熱交換器に供給するための加熱対象水を吐出する水ポンプと当該水ポンプから吐出された加熱対象水を前記水冷媒熱交換器に流入させる水流入内部配管とを有する給水機構と、
前記発熱性電気部品と前記水ポンプとを熱伝導可能に接続した状態で固定する金属製の取付部材と、を備え、
前記水流入内部配管は、前記発熱性電気部品と前記取付部材の少なくとも一方に熱伝導可能に接続してなり、
前記水ポンプ及び前記水流入内部配管により前記加熱対象水を利用して前記発熱性電気部品を冷却する構成としたヒートポンプ給湯室外機。
【請求項２】
外郭を構成する筐体と、
前記筐体内に配置された圧縮機、空気冷媒熱交換器及び水冷媒熱交換器を有し、前記圧縮機により冷媒を循環させると共に前記水冷媒熱交換器により加熱対象水を加熱する冷媒回路と、
前記筐体内に形成され、前記圧縮機が収容された機械室と、
少なくとも前記冷媒回路を制御するために前記筐体内に配置された機器であって、発熱性電気部品を含む複数の電気部品が搭載され、前記圧縮機の上側で前記機械室内に配置されると共に前記筐体の上面部から下方に離間した電装品搭載体と、
前記機械室内で前記電装品搭載体の上側に形成された空間である電装品上方空間と、
前記水冷媒熱交換器に供給するための加熱対象水を吐出する水ポンプと当該水ポンプから吐出された加熱対象水を前記水冷媒熱交換器に流入させる水流入内部配管とを有し、前記電装品上方空間に配置された給水機構と、
前記発熱性電気部品と前記水ポンプとを熱伝導可能に接続した状態で前記筐体に固定する金属製の取付部材と、を備え、
前記水流入内部配管は、前記発熱性電気部品と前記取付部材の少なくとも一方に熱伝導可能に接続してなり、
前記水ポンプ及び前記水流入内部配管により前記加熱対象水を利用して前記発熱性電気部品を冷却する構成としたヒートポンプ給湯室外機。
【請求項３】
前記複数の電気部品のうち前記発熱性電気部品は前記取付部材に搭載し、他の電気部品は前記取付部材と異なる部材に搭載する構成としてなる請求項１または２に記載のヒートポンプ給湯室外機。
【請求項４】
前記取付部材は、前記機械室のうち前記圧縮機が配置された下部側の空間と、前記発熱性電気部品及び前記給水機構が配置された前記電装品上方空間との間を仕切る構成としてなる請求項２に記載のヒートポンプ給湯室外機。
【請求項５】
前記電装品搭載体は、前記機械室のうち前記圧縮機が配置された下部側の空間と前記電装品上方空間との間を仕切る構成としてなる請求項２または４に記載のヒートポンプ給湯室外機。
【請求項６】
前記筐体の内部を上下方向に伸長し、前記筐体内の空間を水平方向の一側に位置する前記機械室と水平方向の他側に位置する送風機室とに仕切る仕切板と、
前記空気冷媒熱交換器と共に前記送風機室に収容され、前記空気冷媒熱交換器に外気を送風する送風機と、を備え、
前記電装品搭載体は、前記仕切板を挟んで前記送風機と水平方向で並ぶ位置に配設してなる請求項２，４，５のうち何れか１項に記載のヒートポンプ給湯室外機。
【請求項７】
前記発熱性電気部品は、前記給水機構と直接接触させるか、または熱伝導性を有する部材を介して前記給水機構と接続する構成としてなる請求項１乃至６のうち何れか１項に記載のヒートポンプ給湯室外機。
【請求項８】
前記発熱性電気部品は、前記圧縮機の作動状態を制御するインバータモジュールであり、前記インバータモジュールには、ワイドギャップ半導体を用いてなる請求項１乃至７のうち何れか１項に記載のヒートポンプ給湯室外機。
【発明の詳細な説明】
【技術分野】
【０００１】
本発明は、ヒートポンプ給湯室外機に関し、特に、電装品搭載体を備えたヒートポンプ給湯室外機に関する。
【背景技術】
【０００２】
従来技術として、例えば特許文献１に記載されているように、空気調和機等の一部を構成し、電装品収納箱を備えた室外機が知られている。従来技術では、電装品収納箱内の基板上にインバータモジュールを搭載し、このインバータモジュールにより圧縮機等を制御することが一般的に行われている。また、従来技術では、室外機の内部を左，右に仕切る仕切板を設け、この仕切板により室外機の内部に機械室と送風機室とを形成している。そして、電装品収納箱の一部を送風機の上側で送風機室内に配置し、送風機室を通る外気により電装品収納箱を冷却することが可能な構成としている。
【先行技術文献】
【特許文献】
【０００３】
【特許文献１】特開２００３−２９４２７２号公報
【発明の概要】
【発明が解決しようとする課題】
【０００４】
従来技術で用いられるインバータモジュールは、圧縮機等を制御する際の発熱量が多く、また、耐熱性にも限界がある。このため、従来技術では、例えば大型の放熱部品をインバータモジュールに密着させた上で、この放熱部品を外気が通る送風機室に設置し、インバータモジュールの温度上昇を抑制する必要がある。これにより、従来技術では、インバータモジュールに関連した部品のコストや重量が増加するという問題がある。また、従来技術では、送風機室を通る外気により電装品収納箱を冷却可能な構成としている。しかしながら、外気による冷却だけでは、発熱量が多いインバータモジュール等の冷却効率を十分に高めることができないという問題がある。
【０００５】
本発明は、上述のような課題を解決するためになされたもので、大型の放熱部品等を搭載しなくても、既存の給水機構を利用して発熱性電気部品を効率よく冷却し、高い冷却性能を実現することが可能なヒートポンプ給湯室外機を提供することを目的とする。
【課題を解決するための手段】
【０００６】
本発明に係るヒートポンプ給湯室外機は、圧縮機、空気冷媒熱交換器及び水冷媒熱交換器を有し、圧縮機により冷媒を循環させて水冷媒熱交換器により加熱対象水を加熱する冷媒回路と、少なくとも冷媒回路を制御する機器であって、発熱性電気部品を含む複数の電気部品が搭載された電装品搭載体と、水冷媒熱交換器に供給するための加熱対象水を吐出する水ポンプと当該水ポンプから吐出された加熱対象水を水冷媒熱交換器に流入させる水流入内部配管とを有する給水機構と、発熱性電気部品と水ポンプとを熱伝導可能に接続した状態で固定する金属製の取付部材と、を備え、水流入内部配管は、発熱性電気部品と取付部材の少なくとも一方に熱伝導可能に接続してなり、水ポンプ及び水流入内部配管により加熱対象水を利用して発熱性電気部品を冷却する構成としたものである。
【発明の効果】
【０００７】
本発明によれば、外部から給水機構に流入する低温な加熱対象水を利用して、発熱性電気部品を冷却することができる。これにより、既存の給水機構をヒートポンプ給湯室外機に搭載して発熱性電気部品から熱伝導可能な位置に配設するだけで、発熱性電気部品の冷却効率を高めることができる。従って、発熱性電気部品を冷却する大型の放熱フィンや専用の冷却機構等が不要となるので、ヒートポンプ給湯室外機の小型軽量化を促進しつつ、高い冷却性能を実現することができる。また、給水機構を流通する加熱対象水は、発熱性電気部品から発生する熱を吸収するので、発熱性電気部品の廃熱を再利用して加熱対象水を加熱することができ、その分だけ冷媒回路の消費電力を節約することができる。従って、ヒートポンプ給湯室外機の運転効率を高め、省エネルギ化を促進することができる。
【図面の簡単な説明】
【０００８】
【図１】本発明の実施の形態１において、ヒートポンプ給湯室外機の外観を示す斜視図である。
【図２】筐体を取外した状態のヒートポンプ給湯室外機を示す正面図である。
【図３】本発明の実施の形態２において、筐体を取外した状態のヒートポンプ給湯室外機を示す正面図である。
【発明を実施するための形態】
【０００９】
実施の形態１．
以下、図１及び図２を参照して、本発明の実施の形態１について説明する。なお、各図においては、共通する要素に同一の符号を付し、重複する説明を省略するものとする。図１は、本発明の実施の形態１において、ヒートポンプ給湯室外機の外観を示す斜視図である。ここで、図１（ａ）及び（ｂ）は、それぞれヒートポンプ給湯室外機を斜め前方及び斜め後方からみた状態を示している。また、図２は、筐体を取外した状態のヒートポンプ給湯室外機を示す正面図である。
【００１０】
図１に示すように、ヒートポンプ給湯室外機は、その外郭を構成する箱形状の筐体１を備えている。筐体１は、それぞれ平坦な金属板等により形成された前面部１Ａ、後面部１Ｂ、左側面部１Ｃ、右側面部１Ｄ、上面部１Ｅ及び底面部１Ｆ（図２参照）により構成されている。筐体１の内部には、図２に示すように、上下方向及び前後方向に伸長した平板状の仕切板２が設けられている。仕切板２は、筐体１内の空間を水平方向の一側と他側（右側と左側）に仕切るもので、筐体１の内部には、仕切板２により右側の機械室３と左側の送風機室４とが形成されている。より詳しく述べると、仕切板２は、その四辺が筐体１の前面部１Ａ、後面部１Ｂ、上面部１Ｅ及び底面部１Ｆに接触した状態で配置されている。このため、機械室３と送風機室４とは、配管や電線等を挿通する小さな挿通穴を除いて、仕切板２により相互に遮断されている。
【００１１】
また、筐体１内には、冷媒を循環させて加熱対象水を加熱する公知の冷媒回路５が設けられている。冷媒回路５は、後述の圧縮機６、空気冷媒熱交換器７、水冷媒熱交換器８及び膨張弁（図示せず）と、これらの機器を環状に接続する冷媒配管とを備えている。圧縮機６は、冷媒を吸込んで吐出することにより、冷媒回路５に冷媒を循環させるもので、駆動源となるモータを備えている。そして、圧縮機６は、機械室３の下部側に収容され、筐体１の底面部１Ｆ上に設置されている。また、圧縮機６の吸込側には吸入管９が接続され、圧縮機６の吐出側には吐出管１０が接続されている。これらの配管９，１０は前記冷媒配管の一部を構成している。
【００１２】
空気冷媒熱交換器７は、冷媒配管を流通する冷媒と空気との間で熱交換を行うもので、複数回往復するように屈曲した長尺な冷媒配管と、当該冷媒配管に固着された多数の金属フィンとを備えている。空気冷媒熱交換器７は、全体として略平板状に形成され、送風機室４の後部側（前後方向の一側）に収容されている。また、送風機室４の前部側（前後方向の他側）には、空気冷媒熱交換器７に外気を送風する送風機１１が収容されている。送風機１１は、複数枚のプロペラ翼と当該プロペラ翼を回転駆動するモータとを備えており、その回転数に応じて空気冷媒熱交換器７を通過する空気量（送風量）を変化させる。これにより、空気冷媒熱交換器７における空気と冷媒との熱交換量は、送風機１１の回転数に応じて調整される。なお、送風機室４は、風路を確保するために機械室３よりも大きな容積をもって形成されている。
【００１３】
水冷媒熱交換器８は、後述の給水機構１２により供給される水（加熱対象水）と冷媒との間で熱交換を行うもので、１次側となる冷媒流入口及び冷媒流出口と、２次側となる水流入口及び水流出口とを有している。そして、水冷媒熱交換器８は、送風機室４の下部側に収容され、筐体１の底面部１Ｆ上に設置されている。なお、水冷媒熱交換器８は、後述の水流入内部配管１４と冷媒配管とを密着させ、これらを略直方体形状の容器に収納することにより構成されている。一方、冷媒回路５の膨張弁は、外部からの通電状態に応じて冷媒の流路抵抗を調節し、冷媒圧力を減圧するもので、圧縮機６や冷媒配管と共に機械室３に収容されている。
【００１４】
次に、冷媒回路５の回路構成について説明する。まず、圧縮機６の吐出側は、吐出管１０を介して水冷媒熱交換器８の冷媒流入口に接続されている。また、水冷媒熱交換器８の冷媒流出口は、冷媒配管及び膨張弁を介して空気冷媒熱交換器７の冷媒流入口に接続され、空気冷媒熱交換器７の冷媒流出口は、吸入管９を介して圧縮機６の吸込側に接続されている。そして、このように環状に接続された冷媒回路５には、ＣＯ２冷媒等の冷媒が封入されている。
【００１５】
一方、筐体１内には、水冷媒熱交換器８に加熱対象水を供給する給水機構１２が収容されている。給水機構１２は、水ポンプ１３、水流入内部配管１４，１５及び水流出内部配管１６を備えている。水ポンプ１３は、水冷媒熱交換器８に供給するための水を吐出するもので、水ポンプ１３の吐出側は、水流入内部配管１４を介して水冷媒熱交換器８の水流入口に接続されている。水流入内部配管１４は、水ポンプ１３から吐出された低温な加熱対象水を水冷媒熱交換器８に流入させるものである。また、水ポンプ１３の吸込側は、他の水流入内部配管１５を介して水入口バルブ１７に接続されている。なお、給水機構１２の具体的な配置については後述する。
【００１６】
水流出内部配管１６は、水冷媒熱交換器８の水流出口と給湯出口バルブ１８とを接続しており、水冷媒熱交換器８から流出した高温水を外部の給湯先に向けて流通させるものである。また、上記２つのバルブ１７，１８は、筐体１の右側面部１Ｄに設けられたサービスパネル１９（図１参照）の内部に配置され、数百リットル程度の容量をもつ外部の貯湯タンク（図示せず）に接続される。具体的に述べると、水入口バルブ１７は、第１の外部配管を介して貯湯タンクの底部側に接続され、給湯出口バルブ１８は、第２の外部配管を介して貯湯タンクの上部側に接続される。このように、ヒートポンプ給湯室外機は、貯湯タンクを備えた外部の貯湯装置と接続した状態で使用される。なお、サービスパネル１９は、後述の電装品上方空間２３とほぼ同じ高さ位置で筐体１の上部側に配置されている。
【００１７】
一方、水ポンプ１３と給湯出口バルブ１８には、図２に示すように、エア抜きバルブ１３Ａ，１８Ａが設けられており、これらのバルブ１３Ａ，１８Ａはサービスパネル１９内に配置されている。ヒートポンプ給湯室外機の配管接続工事等においては、水ポンプ１３や給湯出口バルブ１８の内部に侵入したエアをエア抜きバルブ１３Ａ，１８Ａから抜くエア抜き作業が行われる。本実施の形態では、エア抜きバルブ１３Ａ，１８Ａをヒートポンプ給湯室外機の上部側（サービスパネル１９）に配置しているので、エア抜き作業では、給湯室外機の下部側に設置された水冷媒熱交換器８等に溜まり易いエアを上部側のエア抜きバルブ１３Ａ，１８Ａから容易に抜くことができる。これにより、エア抜き作業を短時間で効率よく行うことができ、また、溜まったエアを確実に抜くことができる。
【００１８】
次に、ヒートポンプ給湯室外機に搭載された電装品搭載体としての電装品収納箱２０について説明する。電装品収納箱２０には、例えば抵抗、コンデンサ等の回路部品や半導体等の電子部品を含む複数の電気部品が搭載（収納）されている。これらの電気部品には、圧縮機６を駆動する発熱性電気部品としてのインバータモジュール２１と、送風機１１、水ポンプ１３、膨張弁等をそれぞれ駆動する複数のモジュール（送風機用モジュール、水ポンプ用モジュール、膨張弁用モジュール）とが含まれている。そして、電装品収納箱２０は、ヒートポンプ給湯室外機の設置環境、使用条件等に基いて、圧縮機６の回転数、送風機１１の回転数及び膨張弁の開度を制御する。
【００１９】
インバータモジュール２１は、例えばモータの回転数制御等に用いられる一般的なインバータ回路をパッケージ化したもので、スイッチング素子及び／又はダイオード素子（以下、これらをまとめてスイッチング素子と称す）を備えている。このスイッチング素子には、ワイドバンドギャップ半導体が用いられている。ワイドバンドギャップ半導体とは、シリコンと比較してバンドギャップ（禁制帯）の幅が大きい半導体の総称であり、具体例としては、炭化珪素（ＳｉＣ）、窒化ガリウム（ＧａＮ）、ダイヤモンド等が知られている。本実施の形態では、例えばＳｉＣ半導体を用いてインバータモジュール２１を構成し、インバータモジュール２１により圧縮機６の回転数を制御するようにしている。
【００２０】
また、電装品収納箱２０は金属製の箱体等により形成され、その上面部は、平坦な金属板等からなるベース２０Ａにより構成されている。そして、電装品収納箱２０に搭載された電気部品のうちインバータモジュール２１を除いた他の電気部品は、ベース２０Ａの下面部に搭載され、電装品収納箱２０の内部に収容されている。また、ベース２０Ａの上面部には、平坦な金属板等からなる取付部材としての取付板２２が面接触した状態で取付けられており、インバータモジュール２１は、取付板２２の上面部（電装品収納箱２０の外側面）に搭載されている。取付板２２は、ベース２０Ａと共に電装品収納箱２０の上面部を構成するもので、筐体１の前面部１Ａ、後面部１Ｂ、左側面部１Ｃ及び仕切板２のうちの少なくと１箇所に取付けられ、機械室３内で水平方向に延びている。
【００２１】
即ち、電装品収納箱２０は、取付板２２を介して機械室３内に着脱可能に固定されている。なお、本発明では、電装品収納箱２０のベース２０Ａと取付板２２とを共通化し、両者を単一の金属板により形成してもよい。また、電装品収納箱２０の右側下部には、電装品収納箱２０内の電気回路を外部の電気配線に接続する端子台２０Ｂが設けられている。この端子台２０Ｂはサービスパネル１９内に配置され、サービスパネル１９により保護されている。電装品収納箱２０は、端子台２０Ｂを介して外部から電力の供給を受けたり、外部の機器に制御信号を出力することができる。
【００２２】
また、電装品収納箱２０は、圧縮機６の上側であって筐体１の上面部１Ｅから下方に離間した位置に固定されている。これにより、機械室３内には、電装品収納箱２０の上側に位置する電装品上方空間２３が形成されている。電装品上方空間２３は、筐体１の上面部１Ｅと電装品収納箱２０の取付板２２（またはベース２０Ａ）との間に形成され、筐体１の前面部１Ａ、後面部１Ｂ、右側面部１Ｄ及び仕切板２により囲まれた空間となっている。また、上下方向における電装品収納箱２０の取付位置は、例えば仕切板２を挟んで送風機１１のプロペラ翼と水平方向で並ぶ位置に設定されている。これにより、電装品上方空間２３内には、給水機構１２を配置するのに十分な容積が確保されている。なお、電装品収納箱２０のベース２０Ａ及び取付板２２は、機械室３のうち圧縮機６が配置された下部側の空間と電装品上方空間２３との間を仕切る（遮断する）構成としてもよい。
【００２３】
次に、電装品上方空間２３内における各部品の配置について説明する。電装品上方空間２３には、インバータモジュール２１と、給水機構１２の水ポンプ１３と、水流入内部配管１４，１５及び水流出内部配管１６の少なくとも一部とが収容されている。給水機構１２は、低温な加熱対象水を利用してインバータモジュール２１を冷却するために、電装品上方空間２３に配置されている。インバータモジュール２１と水ポンプ１３は、電装品収納箱２０の外側面である取付板２２の上面部にそれぞれ密着（面接触）した状態で固定されている。即ち、後述の沸上げ運転時に低温な水が流通する水ポンプ１３は、熱伝導性が良好な金属製の取付板２２を介してインバータモジュール２１に接続されている。
【００２４】
また、水ポンプ１３から水冷媒熱交換器８に向けて低温な水を流通させる水流入内部配管１４は、インバータモジュール２１の上面部に直接密着（面接触）した状態に保持されている。従って、水ポンプ１３及び水流入内部配管１４は、インバータモジュール２１から熱伝導可能な位置に配設され、インバータモジュール２１の放熱を促進するように構成されている。なお、インバータモジュール２１及び水ポンプ１３に接続された電気配線は、ベース２０Ａ及び取付板２２に設けられた配線挿通穴２０Ｃ，２２Ａを通じてベース２０Ａの下面部に引出され、端子台２０Ｂに直接または間接的に接続されている。配線挿通穴２０Ｃ，２２Ａには、シール材等を充填することにより防水処理が施されている。これにより、電装品上方空間２３側で漏水や結露等により水が生じても、この水は配線挿通穴２０Ｃ，２２Ａから電装品収納箱２０内に浸入することがない。従って、電装品収納箱２０内の部品を水の浸入による短絡等の不具合から保護することができる。
【００２５】
本実施の形態によるヒートポンプ給湯室外機は上述の如き構成を有するもので、次に、貯湯タンク内の水（湯）を加熱する沸上げ運転を例に挙げて、ヒートポンプ給湯室外機の動作について説明する。沸上げ運転では、まず、インバータモジュール２１により圧縮機６が駆動され、圧縮機６により冷媒の圧縮動作が行われる。これにより、冷媒は、低圧な状態で吸入管９から圧縮機６に吸込まれ、高圧となって吐出管１０に吐出される。この冷媒は、水冷媒熱交換器８に流入し、水冷媒熱交換器８内で２次側の水と熱交換することにより、水を加熱する。そして、水を加熱してエンタルピが低下した冷媒は、膨張弁により減圧されて低温低圧となった状態で空気冷媒熱交換器７に流入し、空気冷媒熱交換器７内で空気と熱交換する。これにより、エンタルピが増加した冷媒は、吸入管９から圧縮機６に再び吸込まれる。このように、冷媒回路５を冷媒が循環し、ヒートポンプサイクルが行われる。
【００２６】
一方、沸上げ運転時には、圧縮機６と共に水ポンプ１３が駆動される。水ポンプ１３が作動すると、貯湯タンク内の水は、タンクの下部側から第１の外部配管に流出し、更に、水入口バルブ１７、水流入内部配管１５、水ポンプ１３及び水流入内部配管１４を順次通過して水冷媒熱交換器８に流入することにより、水冷媒熱交換器８内で加熱されて高温水となる。そして、この高温水は、水冷媒熱交換器８から水流出内部配管１６に流出し、給湯出口バルブ１８及び第２の外部配管を介して貯湯タンクの上部側に流入する。これにより、貯湯タンク内の水を加熱する沸上げ運転が実行される。また、冷媒回路５の作動時には、送風機１１が作動し、例えば筐体１の後面部１Ｂに設けられた吸気口から送風機室４内に外気が吸込まれる。この空気は、空気冷媒熱交換器７を後方から前方に向けて通過した後に、筐体１の前面部１Ａに設けられた排気口から外部に排出される。
【００２７】
上記沸上げ運転を含めて、ヒートポンプ給湯室外機の作動時には、インバータモジュール２１により圧縮機６の回転数が数十〜百ｒｐｓ（Ｈｚ）程度の所定範囲内で制御される。これにより、インバータモジュール２１は、冷媒回路５を循環する冷媒の循環速度及び流量を変化させ、沸上げ能力を制御する。また、水ポンプ用モジュールは、水ポンプ１３の回転数を数百ｒｐｍ〜千ｒｐｍ程度の所定範囲内で制御し、膨張弁用モジュールは、膨張弁の開度を所定の開度範囲内で制御する。送風機用モジュールは、送風機１１の回転数を数百ｒｐｍ〜千ｒｐｍ程度の所定範囲内で変化させ、空気冷媒熱交換器７における空気と冷媒との熱交換量を制御する。
【００２８】
次に、本実施の形態の効果について説明する。本実施の形態では、水冷媒熱交換器８に加熱対象水を供給する給水機構１２により、インバータモジュール２１を冷却する構成としている。このため、沸上げ運転時等には、貯湯タンクから水ポンプ１３及び水流入内部配管１４に流入する低温な加熱対象水を利用して、インバータモジュール２１を冷却することができる。これにより、既存の給水機構１２をヒートポンプ給湯室外機に搭載してインバータモジュール２１から熱伝導可能な位置に配設するだけで、インバータモジュール２１から給水機構１２への放熱を促進し、冷却効率を高めることができる。従って、本実施の形態では、インバータモジュール２１を冷却する大型の放熱フィンや専用の冷却機構等が不要となり、放熱フィンを小型化または廃止することができるので、ヒートポンプ給湯室外機の小型軽量化を促進しつつ、高い冷却性能を実現することができる。
【００２９】
一方、水ポンプ１３及び水流入内部配管１４内を流通する水（加熱対象水）は、インバータモジュール２１から発生する熱を吸収し、その後に水冷媒熱交換器８によって加熱される。即ち、インバータモジュール２１から放出される廃熱を再利用して加熱対象水を加熱することができ、前記廃熱を利用した分だけ冷媒回路５の加熱能力（圧縮機６の消費電力）を節約することができる。従って、ヒートポンプ給湯室外機の運転効率を高め、省エネルギ化を促進することができる。特に、ヒートポンプ給湯室外機は、深夜電力を利用することが多いので、ランニングコストに対する使用者の関心が高い。従って、省エネルギ化を促進することにより、ヒートポンプ給湯室外機の商品性を高めることができる。
【００３０】
また、本実施の形態では、給水機構１２の水流入内部配管１４をインバータモジュール２１と直接接触させているので、インバータモジュール２１の熱が水流入内部配管１４に伝導するときの抵抗を小さくして、冷却を効率よく行うことができる。また、水ポンプ１３は、金属製の取付板２２を介してインバータモジュール２１と接続しているので、熱伝導性が高い取付板２２を利用してインバータモジュール２１から水ポンプ１３への放熱を円滑に行うことができる。そして、取付板２２を介在させることにより、インバータモジュール２１や水ポンプ１３の配置に自由度をもたせることができ、設計自由度を高めることができる。
【００３１】
また、本実施の形態では、機械室３内で圧縮機６の上側に電装品収納箱２０を配置し、更に電装品収納箱２０の上側に電装品上方空間２３を形成し、給水機構１２を電装品上方空間２３に収容している。これにより、給水機構１２を、インバータモジュール２１に近接し、かつ、圧縮機６から離れた位置に配設することができ、圧縮機６から放出される熱によりインバータモジュール２１の冷却効率が低下するのを防止することができる。また上記配置によれば、電装品上方空間２３の側方にサービスパネル１９を配置し、このサービスパネル１９に水ポンプ１３及び給湯出口バルブ１８のエア抜きバルブ１３Ａ，１８Ａを設けることができるので、前述したようにエア抜き作業を効率化することができる。
【００３２】
しかも、インバータモジュール２１は、電装品収納箱２０の外側面である取付板２２の上面部に搭載され、他の電気部品は電装品収納箱２０の内部に収容されているので、他の部品と比較して発熱量が大きいインバータモジュール２１だけを給水機構１２により選択的に冷却することができる。そして、インバータモジュール２１の熱が他の電気部品に伝導するのを抑制し、電装品収納箱２０全体の耐熱性を向上させることができる。更に言えば、機械室３のうち圧縮機６が配置された下部側の空間と、電装品上方空間２３との間を電装品収納箱２０により仕切る構成とすることで、圧縮機６の熱により暖められた空気が給水機構１２の周囲に到達するのを遮断し、より高い冷却効率を得ることができる。
【００３３】
また、本実施の形態では、筐体１の内部に仕切板２を設けることにより、機械室３と送風機室４とを水平方向に並んだ状態で形成し、電装品収納箱２０は、仕切板２を挟んで送風機１１のプロペラ翼と水平方向で並ぶ位置に配設している。これにより、電装品収納箱２０を、送風機１１のプロペラ翼と干渉させることなく、上下方向の途中位置に設けることができる。従って、電装品収納箱２０の上側には、十分な容積をもつ電装品上方空間２３を容易に形成することができる。
【００３４】
一方、本実施の形態では、インバータモジュール２１を、ＳｉＣ半導体（ワイドバンドギャップ半導体）により構成している。インバータモジュール２１は、通電電流が大きい圧縮機６の駆動制御を行うことで発熱量が大きくなる。しかし、ＳｉＣ半導体等のワイドバンドギャップ半導体により形成されたスイッチング素子は、耐熱性が高いので、大型の放熱フィンや冷却機構を付設する必要がない。従って、極端な低温にはならない貯湯タンク内の水を冷却水として用いた場合でも、インバータモジュール２１の温度を許容される上限温度以下に抑制することができる。また、沸上げ運転の繰返し等により貯湯タンク全体の水温が高くなり、貯湯タンクから給水機構１２に比較的高温な水が供給される場合には、インバータモジュール２１の冷却効率が低下する。しかし、このような高温でも、耐熱性が高いＳｉＣ半導体は、圧縮機６の駆動制御を安定的に行うことができる。
【００３５】
従って、本実施の形態のように、給水機構１２により冷却する発熱性電気部品にワイドバンドギャップ半導体を用いる構成とすれば、貯湯タンク内の水を冷却水として利用する水冷システムを安定的に実現することができる。また、ワイドバンドギャップ半導体により形成されたスイッチング素子は、高い耐電圧を有し、許容電流密度も高い上に、電力損失が小さい。これにより、インバータモジュール２１を小型化することができると共に、インバータモジュール２１の高効率化が可能となり、給湯室外機の運転効率を向上させることができる。
【００３６】
更に言えば、本実施の形態のように、ワイドバンドギャップ半導体により構成されたインバータモジュール２１を用いる場合には、給水機構１２をインバータモジュール２１に直接接触させたり、熱伝導性の部材を介して接続する構成としなくてもよい。即ち、インバータモジュール２１と給水機構１２とを電装品上方空間２３内に一緒に配置しておくだけで、空気を介した熱伝導によりインバータモジュール２１から給水機構１２に適度に放熱することができる。そして、インバータモジュール２１は、この程度の冷却状態でも、安定的に作動することができる。
【００３７】
実施の形態２．
次に、図３を参照して、本発明の実施の形態２について説明する。本実施の形態は、前記実施の形態１に対して、インバータモジュールと給水機構とを直接接触させない点が異なるもので、この点を特徴としている。なお、本実施の形態では、実施の形態１と同一の構成要素に同一の符号を付し、その説明を省略するものとする。
【００３８】
図３は、本発明の実施の形態２において、筐体を取外した状態のヒートポンプ給湯室外機を示す正面図である。本実施の形態のインバータモジュール３１は、電装品収納箱２０の取付板２２の下面部に密着（面接触）した状態で搭載され、他の電気部品と共に電装品収納箱２０内に収容されている。また、電装品収納箱２０のベース２０Ａには、インバータモジュール３１を収容する素子収容穴２０Ｄが設けられ、インバータモジュール３１は、取付板２２の下面部から素子収容穴２０Ｄを介して電装品収納箱２０内に突出している。また、水ポンプ１３に接続された電気配線は、実施の形態１の場合と同様に、配線挿通穴２０Ｃ，２２Ａを通じてベース２０Ａの下面部に引出され、端子台２０Ｂに直接または間接的に接続されている。配線挿通穴２０Ｃ，２２Ａには防水処理が施されている。
【００３９】
一方、水ポンプ１３から水冷媒熱交換器８に向けて加熱対象水を流通させる水流入内部配管１４′は、実施の形態１と比較して低い位置に設けられ、取付板２２の上面部と密着（面接触）した状態で設置されている。即ち、本実施の形態では、インバータモジュール３１が取付板２２を介して水ポンプ１３及び水流入内部配管１４′に接続されている。なお、取付板２２は、実施の形態１で述べたように、熱伝導性が良好な金属板等により形成されている。また、インバータモジュール３１は、ＳｉＣ半導体等のワイドバンドギャップ半導体により構成されている。
【００４０】
このように構成される本実施の形態でも、前記実施の形態１とほぼ同様の作用効果を得ることができる。特に、本実施の形態では、インバータモジュール３１を耐熱性が高いワイドバンドギャップ半導体により構成しているので、インバータモジュール３１と給水機構１２とを直接接触させなくても（取付板２２を介した間接的な放熱だけでも）、インバータモジュール３１の温度を許容される上限温度以下に抑制することができる。また、インバータモジュール３１と給水機構１２とを直接接触させないので、給水機構１２側で漏水や結露が生じた場合でも、インバータモジュール３１を水との接触から保護することができ、インバータモジュール３１の耐久性を向上させることができる。
【００４１】
なお、前記実施の形態１，２では、電装品収納箱２０の上側に電装品上方空間２３を形成し、インバータモジュール２１と給水機構１２とを電装品上方空間２３に収容するものとした。しかし、本発明は、給水機構１２によりインバータモジュール２１を冷却することができれば良いものであり、仕切板２、機械室３、電装品上方空間２３等は必ずしも必要としない。即ち、本発明では、インバータモジュール２１と給水機構１２とを熱伝動可能な状態で配置すれば、他の構成は実施の形態１，２と異なるものでもよい。
【００４２】
また、前記実施の形態１，２では、電装品搭載体として箱形状の電装品収納箱２０を例示したが、本発明は、箱形状以外の形状を有する電装品搭載体にも適用されるものであり、例えば板状の電装品搭載体に適用してもよい。さらに、本発明において、発熱性電気部品は、インバータモジュール２１，３１に限定されるものではない。即ち、本発明は、通電時に発熱する各種の電気部品に適用されるものであり、この電気部品には、実施の形態で例示した送風機用モジュール、水ポンプ用モジュール及び膨張弁用モジュールや、大きな抵抗値を有する抵抗体、大容量のコンデンサ等が含まれるものである。
【００４３】
また、前記実施の形態１，２では、給水機構１２の水ポンプ１３及び水流入内部配管１４，１４′によりインバータモジュール２１，３１を冷却するものとしたが、本発明はこれに限らず、水ポンプ１３及び水流入内部配管１４，１４′の何れか一方のみによりインバータモジュール２１，３１を冷却する構成としてもよい。さらには、貯湯タンクの水を水ポンプ１３に流入させる水流入内部配管１５によりインバータモジュール２１，３１を冷却する構成としてもよい。
【００４４】
また、前記実施の形態１，２では、ＳｉＣ半導体により構成されたインバータモジュール２１，３１を用いる場合を例示した。しかし、本発明は、ＳｉＣ半導体に限定されるものではなく、例えば窒化ガリウム、ダイヤモンド等を含む他のワイドバンドギャップ半導体を用いて、インバータモジュールを構成してもよい。これらのワイドバンドギャップ半導体によっても、ＳｉＣ半導体を用いた場合とほぼ同様の効果を得ることができる。
【００４５】
さらに、前記実施の形態１，２では、ヒートポンプ給湯室外機により貯湯タンクの水を加熱対象水として沸上げる場合を例示したが、本発明はこれに限らず、例えばヒートポンプ給湯室外機により浴槽の水を加熱対象水として沸上げる（追焚きする）場合に適用してもよい。
【符号の説明】
【００４６】
１  筐体
２  仕切板
３  機械室
４  送風機室
５  冷媒回路
６  圧縮機
７  空気冷媒熱交換器
８  水冷媒熱交換器
１１  送風機
１２  給水機構
１３  水ポンプ
１４，１４′，１５  水流入内部配管
１６  水流出内部配管
２０  電装品収納箱（電装品搭載体）
２０Ａ  ベース
２１，３１  インバータモジュール（発熱性電気部品）
２２  取付板（取付部材）
２３  電装品上方空間
【図１】
0005640938.tif 000002
【図２】
0005640938.tif 000003
【図３】
0005640938.tif 000004